(57)【要約】【課題】サイズの異なる複数の表示部を備え、必要に応じてＴＶ画像表示時の表示部を切り替えられるようにし、長時間のＴＶ鑑賞を可能にした携帯型受像装置及び携帯端末装置を提供する。【解決手段】携帯型受像装置１は電池を電源として動作し、受信されたテレビジョン放送の受信画像を表示する表示部１５と、この表示部１５よりも表示画面のサイズが小さい表示部１４を備える。受信部は、ＴＶ電波を受信して復調するＴＶ受信・復調回路１１と、これによる映像信号をＮＴＳＣ方式やＰＡＬ方式の映像信号に変換するＮＴＳＣ／ＰＡＬデコーダ１２と、その出力信号を表示部１４又は１５に表示するためにＲＧＢに変換するＹ／Ｃ・ＲＧＢ変換部１３とを備える。スイッチ１８の切り替えにより、前記受信部からの映像信号を表示部１４又は１５の何れかに表示させることができる。【選択図】        図１
2005020178.tif 000002
【特許請求の範囲】
【請求項１】
テレビジョン放送を受信して信号処理等を行うと共に受信画像を所定の受信方式に変換する受信部と、
前記受信部によって得られた受信画像を表示する第１の表示部と、
前記受信部によって得られた受信画像を表示すると共に、前記第１の表示部よりも小さい表示画面サイズを有する第２の表示部と、
前記第１の表示部又は前記第２の表示部を選択する表示切替手段とを備え、
電池を電源にした動作が可能なことを特徴とする携帯型受像装置。
【請求項２】
前記第１及び第２の表示部は、ＲＧＢ方式による受像回路を備えていることを特徴とする請求項１記載の携帯型受像装置。
【請求項３】
前記第１及び第２の表示部は、前記受信部が他の機能部に切り替えられたとき、前記他の機能部により生成された画像を表示することを特徴とする請求項１又は２記載の携帯型受像装置。
【請求項４】
移動通信に対応した電話機能を備え、電池を電源にして動作する携帯端末装置において、
無線による送受信処理を行う無線部、前記無線部と受話器及び送話器との間の音声処理を行う音声処理部を備えて構成される電話回路部と、
テレビジョン放送を受信して信号処理を行うと共に所定の受信方式に変換する受信部と、
前記電話回路部又は前記受信部の一方を選択する第１の切替手段と、
前記受信部によって得られた受信画像を表示する第１の表示部と、
前記受信部によって得られた受信画像を表示すると共に、前記第１の表示部よりも小さい表示画面サイズを有する第２の表示部と、
前記第１の切替手段により前記受信部が選択されているときに前記第１の表示部又は前記第２の表示部を選択する第２の切替手段と、
前記電話回路部及び前記受信部を内蔵すると共に、前記第１の切替手段、前記第２の切替手段、前記第１の表示部、及び前記第２の表示部が所定の位置に設置された筐体とを備えることを特徴とする携帯端末装置。
【請求項５】
前記筐体は、前記第１の表示部が内面に設けられた上側本体と、操作部が内面に設けられた下側本体とが、ヒンジ部で蝶着された折り畳み型であることを特徴とする請求項４記載の携帯端末装置。
【請求項６】
前記第２の表示部は、前記上側本体又は前記下側本体の裏面に設けられていることを特徴とする請求項５記載の携帯端末装置。
【請求項７】
前記第２の切替手段は、前記筐体の開閉状態に応じて作動するスイッチであることを特徴とする請求項４記載の携帯端末装置。
【請求項８】
前記スイッチは、前記上側本体又は前記下側本体の一方に設けられた機械式のスイッチと、折り畳んだときに前記スイッチに対向する位置の前記上側本体又は前記下側本体の他方に設けられた突起とを備えて構成されることを特徴とする請求項７記載の携帯端末装置。
【請求項９】
前記スイッチは、前記上側本体又は前記下側本体の一方に設けられたリードスイッチと、折り畳んだときに前記リードスイッチに対向する位置の前記上側本体又は前記下側本体の他方に設けられた永久磁石とを備えて構成されることを特徴とする請求項７記載の携帯端末装置。
【請求項１０】
前記受信部及び前記筐体は、携帯電話機又はＰＨＳ（Ｐｅｒｓｏｎａｌ  Ｈａｎｄｙｐｈｏｎｅ  Ｓｙｓｔｅｍ）電話機に対応していることを特徴とする請求項４記載の携帯端末装置。
【発明の詳細な説明】
【０００１】
【発明の実施の形態】
本発明は、携帯型受像装置及び携帯端末装置に関し、特に、複数の表示部を備え、それらを任意に選択してＴＶ（テレビジョン）画像を表示することが可能な携帯型受像装置及び携帯端末装置に関する。
【０００２】
【従来の技術】
【０００３】
ＴＶ受像機は日常生活に欠かせない必需品であり、屋内用と屋外用に大別される。屋内用のＴＶ受像機は、大型化や電源消費が問題にならないことから、比較的大型のディスプレィが用いられ、その表示も、ワイド化のほか、「主画面＋複数の子画面」によるマルチ表示等を可能にしている（例えば、特許文献１参照）。また、１つの画面内に受信可能な全局を静止画にして順番に表示する機能を備えたものもある。
【０００４】
一方、屋外用のＴＶ受像機は携帯型に代表され、数インチ程度のカラー液晶ディスプレィを備え、電池を電源にして動作する。携帯型ＴＶ受像機は、重量軽減のためにディスプレィサイズも小型にせざるを得ないが、それでも画像をできるだけ鮮明にみせるため、ディスプレィサイズを大きめにしている場合が多い。このため、画像は見やすくなるものの、持ち運びが不便であると共に、電池の消耗も早いという不都合がある。
【０００５】
近年の電子技術、及びコンピュータ技術の進歩により、その装置の本来の機能に加え、従来は１つの装置が１つの機能しか達成できなかったものが、１台の装置における多機能化が進んでいる。例えば、ビデオテープレコーダとテレビを複合した装置がある。その具体例として、本体部分にビデオ記録再生装置、ＣＤプレーヤを組み込み、この本体部分に開閉式の蓋を取り付け、更に蓋の内側に液晶等による平面スクリーンを組み込み、コンパクト化を図った装置がある（例えば、特許文献２参照）。
【０００６】
更に、多機能化が図られている装置には、電子手帳機能、電話帳機能、メモ機能、メール機能等を備えたＰＤＡ（Ｐｅｒｓｏｎａｌ  Ｄｉｇｉｔａｌ  Ａｓｓｉｓｔａｎｔ）装置、本来の電話機能に加え、電話帳機能、録音機能、メール機能のほか、デジタルカメラ機能、ＧＰＳ（全地球測位システム）機能、テレビリモコン機能等を備えた携帯電話機及びＰＨＳ（Ｐｅｒｓｏｎａｌ  Ｈａｎｄｙｐｈｏｎｅ  Ｓｙｓｔｅｍ）電話機等がある。特に、携帯電話機及びＰＨＳ電話機は、小型軽量で持ち運びやすく、利用度及び実用性も高いことから、最も普及している携帯端末装置となっている。
【０００７】
【特許文献１】
特開２００１−３２０６４５号公報（図１）
【特許文献２】
特開平３−１６５３９４号公報（ＦＩＧ．２）
【０００８】
【発明が解決しようとする課題】
しかし、従来の受像装置によると、携帯型の場合、画面サイズを或る程度以下に小さくしてしまうと、専用型のＴＶ受像機としてはユーザーを満足させることができなくなり、逆に、画面サイズを大きくすると、表示部の消費電力が大きくなって電池使用時間が短くなり、長時間の鑑賞が難しくなる。
【０００９】
また、従来の携帯端末装置によると、多機能化が進み、ユーザーの要求に応えてきているが、ＴＶ受信機能を備えた携帯電話機も発表（例えば、２０００  ＩｎｔｅｒｎａｔｉｏｎａｌＣＥＳ（コンシューマーエレクトロニクスショー））されているが、ＴＶ受信時の動作可能時間が２時間程度であり、実用性が懸念されている。長時間のＴＶ受信が可能になれば、主に電話機能を利用していたユーザーの関心を引くものになると予想され、多機能化のメリットは極めて大きいものとなる。
【００１０】
したがって、本発明の目的は、サイズの異なる複数の表示部を備え、必要に応じてＴＶ画像表示時の表示部を切り替えられるようにし、長時間のＴＶ鑑賞を可能にした携帯型受像装置及び携帯端末装置を提供することにある。
【００１１】
【課題を解決するための手段】
本発明は、上記の目的を達成するため、第１の特徴として、テレビジョン放送を受信して信号処理等を行うと共に受信画像を所定の受信方式に変換する受信部と、前記受信部によって得られた受信画像を表示する第１の表示部と、前記受信部によって得られた受信画像を表示すると共に、前記第１の表示部よりも小さい表示画面サイズを有する第２の表示部と、前記第１の表示部又は前記第２の表示部を選択する表示切替手段とを備え、電池を電源にした動作が可能なことを特徴とする携帯型受像装置を提供する。
【００１２】
この構成によれば、受信部によって受信及び信号処理された受信画像は、画面サイズの異なる第１又は第２の表示部をユーザーが任意に選択することができる。表示時間が長くなりやすいＴＶ受信時には、表示部による電力消費は全体の消費電力のかなりの割合を占めるため、消費電力の小さい小画面の第２の表示部を用いることで、電池による作動時間を延ばすことができ、長時間のＴＶ鑑賞が可能になる。
【００１３】
本発明は、上記の目的を達成するため、第２の特徴として、移動通信に対応した電話機能を備え、電池を電源にして動作する携帯端末装置において、無線による送受信処理を行う無線部、前記無線部と受話器及び送話器との間の音声処理を行う音声処理部を備えて構成される電話回路部と、テレビジョン放送を受信して信号処理を行うと共に所定の受信方式に変換する受信部と、前記電話回路部又は前記受信部の一方を選択する第１の切替手段と、前記受信部によって得られた受信画像を表示する第１の表示部と、前記受信部によって得られた受信画像を表示すると共に、前記第１の表示部よりも小さい表示画面サイズを有する第２の表示部と、前記第１の切替手段により前記受信部が選択されているときに前記第１の表示部又は前記第２の表示部を選択する第２の切替手段と、前記電話回路部及び前記受信部を内蔵すると共に、前記第１の切替手段、前記第２の切替手段、前記第１の表示部、及び前記第２の表示部が所定の位置に設置された筐体とを備えることを特徴とする携帯端末装置を提供する。
【００１４】
この構成によれば、携帯端末装置は、電話とＴＶ受信機能、及び画面サイズの異なる２つの表示部を備え、第１の切替手段によりＴＶ受信機能が選択されているとき、第２の切替手段によって第１の表示部又は第２の表示部を任意に選択することができる。したがって、画面サイズの小さい第２の表示部を選択された場合、その消費電力が少ないために長時間のＴＶ鑑賞が可能になる。
【００１５】
【発明の実施の形態】
以下、本発明の実施の形態を図面に基づいて説明する。
図１は本発明の実施の形態に係る携帯型受像装置の構成を示す。図１において、携帯型受像装置１は、ＴＶ受信・復調回路１１と、Ａ／Ｄ（アナログ／デジタル）コンバータを含む構成のＮＴＳＣ（Ｎａｔｉｏｎａｌ  Ｔｅｌｅｖｉｓｉｏｎ  Ｓｙｓｔｅｍ）／ＰＡＬ（ＰｈａｓｅＡｌｔｅｒｎａｔｉｏｎ  ｂｙ  Ｌｉｎｅ  ）デコーダ１２と、Ｙ／Ｃ・ＲＧＢ変換部１３と、このＹ／Ｃ・ＲＧＢ変換部１３に接続される表示部１４，１５と、ＮＴＳＣ／ＰＡＬデコーダ１２に接続されたスピーカ１６と、全体を制御する制御部１７と、表示部１４又は１５の一方を選択するためのスイッチ１８（ＳＷ１）と、動作状態をテレビ受信と他の機能（例えば、電話機能）とを切り替えるスイッチ１９（ＳＷ２）と、電源としての電池２０と、制御部１７に接続された操作部２１と、電池２０に接続された電源スイッチ２２とを備えて構成されている。
【００１６】
スピーカ１６は、図１においては１個のみを示しているが、ステレオ方式に対応している場合には、２個が必要である。電池２０は、乾電池又は充電可能な二次電池が用いられる。
【００１７】
表示部１４，１５はＲＧＢ受像回路を備えて構成される液晶表示装置、プラズマディスプレィ等であるが、その表示サイズは異なり、ここでは表示部１４が表示部１５よりも小さい表示サイズであるとする。この場合、表示サイズ比の差異だけでなく、消費電力の差異も顕著に表れるようにし、小サイズを選択したときに電池２０の使用可能時間が長くなるようにする。
【００１８】
ＴＶ受信・復調回路１１は、アンテナ１１ａを介して放送局からのＴＶ電波を受信し、これを復調する。ＮＴＳＣ／ＰＡＬデコーダ１２は、ＴＶ受信・復調回路１１により復調された映像信号をＮＴＳＣ方式又はＰＡＬ方式の映像信号に変換する。Ｙ／Ｃ・ＲＧＢ変換部１３は、ＮＴＳＣ／ＰＡＬデコーダ１２の出力信号を表示部１４又は１５に表示できる様にするためにＲＧＢに変換し、フレーム毎の信号に切り出しを行う。制御部１７は、選択された機能を実行する制御、ＴＶ受信に伴う表示部１４，１５の切り替え制御等を行うほか、携帯型受像装置１の全体の制御を実行する。ＮＴＳＣ／ＰＡＬデコーダ１２で抽出された音声信号は、不図示の増幅回路で増幅され、スピーカー１６からモノラル、ステレオ、音声多重等による音声として出力される。
【００１９】
図２は、図１の携帯型受像装置の処理を示す。図２及び図１を参照して図１の携帯型受像装置の動作を説明する。以下においては、フローチャート内のステップをＳで表している。
【００２０】
まず、ユーザは電源スイッチ２２を操作して電源オンにし（Ｓ１０１）、携帯型受像装置１を動作状態にする（Ｓ１０２）。ついで、ユーザはスイッチ１９を操作し、テレビ受信機能と他の機能の何れかを選択する（Ｓ１０３）。テレビ受信機能が選択（スイッチ１９をオフからオン）された場合、制御部１７を除く図１内の回路部の全体に電源が入り（Ｓ１０４）、テレビ受信が開始される（Ｓ１０５）。
【００２１】
ここで、ユーザは操作部２１の数字キー等を操作して、受信したい放送局を指定する。この指定に基づいて、制御部１７は指定された放送局の周波数にチューニングするようにＴＶ受信・復調回路１１を制御する。ＴＶ受信・復調回路１１で受信された電波は、ＴＶ受信・復調回路１１において増幅及び復調処理が行われた後、ＮＴＳＣ／ＰＡＬデコーダ１２により使用国の電波形式に合わせて、ＮＴＳＣ方式又はＰＡＬ方式の映像信号に変換され、受信が可能になる（Ｓ１０６）。
【００２２】
次に、スイッチ１８を操作し、表示部１４又は１５の一方を選択する（Ｓ１０７）。大画面でＴＶを楽しみたいときには表示部１５を選択し、電池消耗を抑制したい場合には消費電力の少ない表示部１４を選択する。スイッチ１８をオンにした場合には表示部１４が選択され、ＮＴＳＣ／ＰＡＬデコーダ１２の出力信号に基づいて表示部１４に表示が行われる（Ｓ１０８）。また、スイッチ１８がオフにされた場合には表示部１５が選択され、ＮＴＳＣ／ＰＡＬデコーダ１２の出力信号に基づいて表示部１５に表示が行われる（Ｓ１０９）。
【００２３】
ＴＶ受信動作中（Ｓ１０６〜Ｓ１０９の処理中）にスイッチ１９が切り替えられ（オンからオフ）ると（Ｓ１１０）、制御部１７を除く図１内の回路部への電源供給が止められる（Ｓ１１１）と同時に、他の機能の実行に移行する（Ｓ１１２）。その後、スイッチ１９が切り替えられたか否かの判定（Ｓ１１３）及び主電源がオフにされたか否かの判定（Ｓ１１４）が行われる。スイッチ１９が切り替えられればＳ１０４に処理が戻されてＴＶ受信が行われ、電源スイッチ２２がオフにされていれば主電源のオフを判定し、携帯型受像装置１を構成している各回路への電源供給を停止し、全ての処理が終了する。
【００２４】
図３及び図４は、本発明の実施の形態に係る携帯端末装置の外観を示す。図３及び図４には、携帯端末装置として、折り畳み型の携帯電話機を示し、内部には図１に示したＴＶ受信回路のほか、携帯電話機として必要な送受信回路等を内蔵している。送受信回路は、ＰＤＣ（  Ｐｅｒｓｏｎａｌ  Ｄｉｇｉｔａｌ  Ｃｅｌｌｕｌａｒ）方式、ＰＨＳ方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式等に対応している。
【００２５】
図３に示すように、携帯電話機３０は、ヒンジ部３１により連結された上側本体３２と下側本体３３を備え、折り畳んだときに上側本体３２と下側本体３３とが向かい合わせに重なる状態になる。上側本体３２には、表示部３４のほか、受話器としてのスピーカ３５、及びアンテナ３６が設けられている。表示部３４は、図１の表示部１５に相当するものである。また、下側本体３３には、０〜９の数字キー、＃キー、＊キー、方向キー、及び機能キー等を含む操作部３７と、送話器としてのマイクロホン（マイク）３８とが設けられている。
【００２６】
更に、下側本体３３には、上記実施の形態で説明したスイッチ１８が、ヒンジ部３１の近傍に設けられている。このスイッチ１８は、手動ではなく携帯電話機３０を折り畳み操作に連動してオン／オフする構造であり、下側本体３３を閉じたときに連動してスイッチ１８が動作するように、上側本体３２には突起３９が設けられている。例えば、スイッチ１８にはリードスイッチを用いることができ、突起３９には磁石を用いることができる。
【００２７】
図４に示すように、上側本体３２の裏面（表示部３４が設けられている面の反対側面）には、表示部１４に相当する表示部３４よりも小サイズの表示部４０が設けられている。例えば、表示部３４は２．２インチの表示サイズであり、表示部４０は１．１インチの表示サイズである。携帯電話機３０を折り畳んだとき、表示部４０は外側になって露出するために外部から見えるが、表示部３４は内側になるため、外部からは見えない。携帯電話として用いているとき、表示部４０には時計表示、着信表示等が行われ、表示部３４には電話番号、メール内容等の表示が行われる。なお、表示部４０は上側本体３２に代えて、下側本体３３の裏面に設けられていてもよい。
【００２８】
表示部４０の近傍にはスイッチ１９が設けられており、このスイッチ１９を操作することによって携帯電話機能の表示からＴＶ受信機能の表示に切り替わり、表示部４０がＴＶ画像の表示に用いられる。なお、携帯電話機能を利用中で、かつ、通話中である場合にはスイッチ１９を操作しても、ＴＶ受信機能には切り替わらない。表示部４０でＴＶを受信しているときには、携帯電話機３０を折り畳んで見ることができるが、図４の状態から９０°回転させた状態でＴＶ画像を見ることになる。
【００２９】
図５は、携帯電話機３０の回路構成を示す。携帯電話機３０は、図１に示した携帯型受像装置１に電話回路部５０を追加した構成となっている。すなわち、携帯電話機３０は、図１の携帯型受像装置１からアンテナ１１ａ及び操作部２１を除去した構成のＴＶ受信回路部６０に電話回路部５０を組み合わせて構成されている。電話回路部５０は、スピーカ３５と、アンテナ３６と、マイクロホン３８と、無線部５１と、切替スイッチ５２と、音声処理部５３と、及び記憶部５４とを備えて構成されている。
【００３０】
ＴＶ受信回路部６０は、図１で説明したように、ＴＶ受信・復調回路１１と、Ａ／Ｄ（アナログ／デジタル）コンバータを含む構成のＮＴＳＣ／ＰＡＬデコーダ１２と、Ｙ／Ｃ・ＲＧＢ変換部１３と、このＹ／Ｃ・ＲＧＢ変換部１３に接続された表示部３４，４０と、ＮＴＳＣ／ＰＡＬデコーダ１２に接続されたスピーカ１６と、全体を制御する制御部１７と、表示部３４又は４０の一方を選択するためのスイッチ１８（ＳＷ１）と、動作状態をテレビ受信と他の機能（例えば、電話機能）とを切り替えるスイッチ１９（ＳＷ２）と、電源としての電池２０と、この電池２０に接続された電源スイッチ２２とを備えて構成されている。
【００３１】
ＴＶ受信・復調回路１１は、アンテナ３６を介して放送局からのＴＶ映像を受信及び復調する。ＮＴＳＣ／ＰＡＬデコーダ１２は、ＴＶ受信・復調回路１１により復調された映像信号をＮＴＳＣ方式又はＰＡＬ方式の映像信号に変換する。Ｙ／Ｃ・ＲＧＢ変換部１３は、ＮＴＳＣ／ＰＡＬデコーダ１２の出力信号を表示部３４又は４０に表示できる様にするためにＲＧＢに変換し、フレーム毎の信号に切り出しを実行する。制御部１７は、電源のオン／オフ、機能の選択に伴う表示部３４，４０の切り替え等を行うほか、携帯電話機３０の全体の制御を実行する。ＮＴＳＣ／ＰＡＬデコーダ１２で抽出された音声信号は、不図示の増幅回路で増幅され、スピーカー１６から音声として出力される。
【００３２】
電話回路部５０は、制御部１７により制御され、電話機能、電子電話帳機能、携帯電話に付属するその他の機能を実行する。無線部５１は、整合回路、送信回路、受信回路、変・復調回路、信号処理回路等をモジュール化したものであり、携帯電話網の基地局との間で音声信号やデータ信号の送受信を実行する。切替スイッチ５２は、アンテナ３６を、電話回路部５０の動作時には無線部５１に接続し、ＴＶ受信回路部６０の動作時にはＴＶ受信・復調回路１１に接続する。この切替スイッチ５２はスイッチ１９に連動して動作する。
【００３３】
音声処理部５３は、無線部５１からの音声信号をスピーカ３５に出力すると共にマイクロホン３８からの音声信号を無線部５１へ送出する。無線部５１では、音声処理部５３からの音声信号を所定の送信信号に変調し、スイッチ５２を介してアンテナ３６から送信する。記憶部５４は半導体メモリを用いて構成され、電話機能及びＴＶ受信機能を実行するためのプログラムが格納されるほか、操作部３７から入力した設定内容、ユーザーが入力した電話番号、受信したメール、ユーザーが作成したメール、インターネット等からダウンロードした内容等が記憶される。
【００３４】
ここで、携帯電話機３０を携帯電話として用いる場合について説明する。まず、上側本体３２と下側本体３３を開き、携帯電話機３０を図３の状態にする。ついで、スイッチ２２を操作して電源オンにし、更に、スイッチ１９を操作して電話機能をオンにする。この操作によりアンテナ３６は無線部５１に接続される。次に、電源操作部３７の数字キーを操作して通話先の電話番号を入力し、オフフックボタンを押し、オフフックにする。制御部１７は無線部５１を送信状態にし、入力された電話番号を所定の送信信号に変調して送信し、基地局との接続を開始する。
【００３５】
通話先との接続が完了すると通話が可能になり、マイクロホン３８からの音声は音声処理部５３及び無線部５１で処理されて送信される。同時に、アンテナ３６で受信された基地局からの受信信号は、無線部５１によって制御信号及び音声信号に復調され、その内の制御信号は制御部５４に送出され、また音声信号は音声処理部５３で処理された後、音声としてスピーカ３５から出力される。
【００３６】
図６は、携帯電話機３０における処理を示す。図６と図２の相違点は、Ｓ１１２に代えてＳ２０３を設け、更に、Ｓ１０８，Ｓ１０９に代えてＳ２０１，Ｓ２０２を設けたことにある。Ｓ１１２は、携帯電話機能であり、通話（又はデータ通信）、電子メール作成、入力操作（電話番号入力等）等の処理が実行可能である。Ｓ２０１，Ｓ２０２は、表示部４０と表示部３４の切り替えを行うステップである。
【００３７】
図５及び図６を参照して、携帯電話機３０の動作を説明する。まず、ユーザは上側本体３２と下側本体３３を開き、図３の状態にする。このとき、突起３９がスイッチ１８の先端部から離れるため、スイッチ１８は自動的にオフになる（Ｓ１０７）。ついで、ユーザはスイッチ２２を操作し（Ｓ１０１）、携帯電話機３０を電源オンにする（Ｓ１０２）。この状態では、電話回路部５０又はＴＶ受信回路部６０の何れかが動作可能な状態になる。
【００３８】
ユーザは電話機能を利用するときには、上側本体３２と下側本体３３を開いたまま使用する。また、ＴＶ受信機能を利用するときには、携帯電話機３０を折り畳んだ状態で使用する。折り畳むことにより、スイッチ１８がオンになり、自動的に表示画面として表示部４０が選択される。
【００３９】
ここで、ユーザがＴＶ受信機能を選択したとする。そのためにスイッチ１９が操作されると（Ｓ１０３）、制御部１７はＴＶ受信回路部６０に電源供給を行い（Ｓ１０４）、テレビ受信を開始し、表示部４０に画像を表示させる（Ｓ１０５）。放送局の選択は、操作部３７の数字キー等を操作することにより可能である。ＴＶ受信の際の図５におけるＴＶ受信回路部６０の動作は、図１で説明した通りである。
【００４０】
ＴＶ受信機能にあるとき、携帯電話機３０の電池使用可能時間を長くするためには、消費電力の小さい表示部４０を用いるのが望ましい。しかし、番組内容によっては、大画面で迫力のある画像を楽しんだり、判読しにくい文字を大きくして見たい場合がある。このような場合には、ＴＶ受信機能の実行中に携帯電話機３０を開き、表示部３４が利用できるようにすればよい（Ｓ１０７、Ｓ２０１、Ｓ２０２）。表示部３４に表示機能が移ると同時に、表示部４０はオフ状態になる。
【００４１】
ＴＶ受信動作中（Ｓ１０６〜Ｓ１０９の処理中）にスイッチ１９が切り替えられると（Ｓ１１０）、ＴＶ受信回路部６０への電源供給が止められる（Ｓ１１１）と同時に、電話回路部５０が動作状態になる（Ｓ２０３）。その後、スイッチ１９が切り替えられたか否か（ＴＶ受信機能に切り替えられたか否か）の判定（Ｓ１１３）、及び電源スイッチ２２がオフにされたか否かの判定（Ｓ１１４）が行われる。スイッチ１９が切り替えられればＳ１０４に処理が戻されてＴＶ受信が行われ、電源スイッチ２２がオフにされていれば主電源のオフを判定し、携帯電話機３０の各回路への電源供給を停止し、全ての処理が終了する。
【００４２】
なお、上記実施の形態においては、携帯端末装置として、携帯電話機を例にしたが、携帯電話機３０に代えて、ＰＨＳ電話機やＰＤＡを用いることができる。また、携帯型受像装置として、大小２つの表示部を有するＴＶ受信専用の装置を示したが、本発明はこの形態に限定されるものではなく、例えば、ノートパソコンや電子辞書にＴＶ画像を主として表示する小サイズの第２の表示部を設けた装置であってもよい。
【００４３】
また、図５では、アンテナ３６を電話回路部５０とＴＶ受信回路部６０で共用する構成としたが、回路部毎にアンテナを有する構成であってもよい。
【００４４】
【発明の効果】
以上より明らかなように、本発明の携帯型受像装置によれば、画面サイズの異なる第１又は第２の表示部を備えているため、第１又は第２の表示部をユーザーが任意に選択して、選択した表示部に受信画像を表示させることができる結果、画面サイズの小さい第２の表示部を選択した場合、携帯型受像装置の電池による作動時間を延ばすことができ、長時間のＴＶ鑑賞が可能になる。また、画面サイズの大きい第１の表示部を選択することで、画像上の文字を読みやすくしたり、大画面で迫力のある画像を楽しむことができる。
【００４５】
更に、本発明の携帯端末装置によれば、携帯端末装置は、電話とテレビジョン受信機能、及び画面サイズの異なる２つの表示部を備え、第１の切替手段によりＴＶ受信機能が選択されているとき、第２の切替手段によって第１の表示部又は第２の表示部を任意に選択できる構成にしたので、１台に電話機とテレビ受像機の機能を組み込むことができ、しかも、テレビジョン受信機能の実行時に画面サイズの小さい第２の表示部を選択すれば、消費電力が少ないために長時間のＴＶ鑑賞が可能になり、画面サイズの大きい第１の表示部を選択すれば、画像上の文字を読みやすくしたり、大画面で迫力のある画像を楽しむことができる。
【図面の簡単な説明】
【図１】本発明の実施の形態に係る携帯型受像装置の構成を示すブロック図である。
【図２】図１の携帯型受像装置の処理を示すフローチャートである。
【図３】本発明の実施の形態に係る携帯端末装置の展開状態における正面外観図である。
【図４】図３の携帯端末装置の折り畳み時の外観図である。
【図５】本発明の実施の形態に係る携帯端末装置としての携帯電話機の回路構成を示すブロック図である。
【図６】図５の携帯電話機の動作を示すフローチャートである。
【符号の説明】
１  携帯型受像装置
１１  ＴＶ受信・復調回路
１１ａ  アンテナ
１２  ＮＴＳＣ／ＰＡＬデコーダ
１３  Ｙ／Ｃ・ＲＧＢ変換部
１４，１５  表示部
１６  スピーカ
１７  制御部
１８  スイッチ１８（ＳＷ１）
１９  スイッチ１９（ＳＷ２）
２０  電池
２１  操作部
２２  電源スイッチ
３０  携帯電話機
３１  ヒンジ部
３２  上側本体
３３  下側本体
３４，４０  表示部
３５  スピーカ
３７  操作部
３８  マイクロホン（マイク）
３９  突起
５０  電話回路部
５１  無線部
５２  切替スイッチ
５３  音声処理部
５４  記憶部
６０  ＴＶ受信回路部
【図１】
2005020178.tif 000003
【図２】
2005020178.tif 000004
【図３】
2005020178.tif 000005
【図４】
2005020178.tif 000006
【図５】
2005020178.tif 000007
【図６】
2005020178.tif 000008